(57)【要約】【課題】フレーム枠がひずんで取り付けられた場合でも装置本体のフレーム枠への差し込みを円滑に行うことができ、また隣接する周辺設備との干渉の問題を解消し得る遊技媒体貸出装置を提供する。【解決手段】フレーム枠１の垂直部１ｃ及び装置本体２の筐体３の背面部３ｂのいずれか一方に設けられたフック部２１ｂと、他方に設けられた係合孔２２と、筐体の背面部内側に上下方向に摺動可能に設けられ、フック部が係合孔に差し込まれたときその抜け止めをするための可動部材２３と、可動部材をフック部の抜け止め方向に付勢する付勢部材３２と、可動部材を抜け止め解除方向に操作するための操作部材３３とを備える。操作部材は、筐体の背面部に設けた上下方向に長い長孔３６に対しその長手方向に摺動可能に嵌合する嵌合部を有し、嵌合部を通して筐体の背面部外側からロック部材に取り付けられ、長孔との協働によりロック部材の摺動をガイドする。【選択図】      図４
2004358113.tif 000002
【特許請求の範囲】
【請求項１】
島内に取り付けたフレーム枠に対し装置本体を前方より差し込んで脱着可能に装着してなる遊技媒体貸出装置において、
上記装置本体の筐体の背面部及びフレーム枠の垂直部のいずれか一方に設けられたフック部と、
他方にこのフック部が差し込み可能に設けられた係合孔と、
上記装置本体の筐体の背面部内側に上下方向に摺動可能に設けられ、上記フック部が係合孔に差し込まれたときフック部を抜け止めにするための可動部材と、
この可動部材をフック部の抜け止め方向に弾性的に付勢する付勢部材と、
上記可動部材を付勢部材の付勢力に抗して抜け止め解除方向に操作するための操作部材とを備えており、
上記操作部材は、上記装置本体の筐体の背面部に設けた上下方向に長い長孔に対しその長手方向に摺動可能に嵌合する嵌合部を有し、この嵌合部を通して装置本体の筐体の背面部外側から可動部材に取り付けられているとともに、上記長孔との協働により可動部材の上下方向の摺動をガイドするようになっていることを特徴とする遊技媒体貸出装置。
【請求項２】
上記フック部は、フレーム枠の垂直部に固定状態にかつ前方に突出して設けられている一方、上記係合孔は装置本体の筐体の背面部に設けられており、上記可動部材は、フック部が係合孔に差し込まれたとき付勢部材の付勢力によりフック部と筐体の背面部との間に挟まれる位置に移動してフック部の抜け止めを行うようになっている請求項１記載の遊技媒体貸出装置
【請求項３】
上記フック部はフレーム枠の垂直部の上下２個所に、上記係合孔は装置本体の筐体の背面部の上下２個所にそれぞれ設けられており、上記可動部材は、この上下２個所でのフック部の抜け止めを共にするものであって、上部及び下部では断面略Ｌ字状に形成され、中間部では断面略Ｉ字状に形成されており、上記装置本体の筐体の背面部には、この可動部材の中間部に対応して可動部材の内側への変形を規制する規制部が形成されている請求項２記載の遊技媒体貸出装置。
【請求項４】
上記操作部材は、底面を有する筒状のもので、その底面にねじ挿通孔を具備する嵌合部が一体に形成され、この嵌合部のねじ挿通孔に挿通したねじにより可動部材に取り付けられている請求項１〜３のいずれか一つに記載の遊技媒体貸出装置。
【請求項５】
上記可動部材の上部又は下部には、操作部材により可動部材を付勢部材の付勢力に抗して抜け止め解除方向に操作した時その状態を保持する保持手段が設けられている請求項３記載の遊技媒体貸出装置。
【発明の詳細な説明】
【０００１】
【発明の属する技術分野】
本発明は、パチンコホールなどの遊技場に設置される遊技媒体貸出装置に関し、特に、島内に取り付けたフレーム枠に対し装置本体を前方より差し込んで脱着可能に装着してなるものに係わる。
【０００２】
【従来の技術】
一般に、パチンコホールなどの遊技場においては、パチンコ機やスロットマシンなどの各遊技機の側方に、カード又は現金の投入によってパチンコ球やメダルなどの遊技媒体を貸し出す遊技媒体貸出装置（俗に台間機ともいう）が設置されている。この遊技媒体貸出装置は、通常、紙幣識別機やカード処理装置などを筐体で保持してなる装置本体とフレーム枠とに分離され、フレーム枠を遊技島内に固定し、このフレーム枠に対し装置本体を前方より差し込んで取り付けたり、前方に引き抜いて取り外したりすることができるようになっている一方、装置本体の背面側とフレーム枠の垂直部との間にロック機構を装備している。
【０００３】
そして、この種のロック機構としては、例えば特許文献１に開示されるように、装置本体の背面側に後方に突出して設けられたフック部材と、フレーム枠の垂直部に上記フック部材が差し込み可能に設けられた係合孔と、フレーム枠の垂直部内側に上下方向に摺動可能に設けられ、上限位置で上記フック部材が係合孔に差し込まれたときフック部材を抜け止めにするためのロック部材と、このロック部材をフック部材の抜け止め方向に弾性的に付勢する付勢部材とを備えたものが知られている。
【０００４】
【特許文献１】
特開２００２−１１２３７号公報（第２−５頁、図１−図１０）
【０００５】
【発明が解決しようとする課題】
ところで、上記従来のロック機構では、ロック部材がフレーム枠の垂直部内側に設けられているが、このロック部材によって装置本体のフレーム枠への差し込みが困難になる場合がある。すなわち、島設備の状況によってフレーム枠がひずんで取り付けられた場合、あるいはロック部材が変形した場合などに装着本体をフレーム枠に差し込んだとき装着本体の背面側にロック部材が当たって差し込みが困難になるという問題である。
【０００６】
また、フレーム枠の垂直部には、ロック部材を上下方向にガイドするための長孔が側方に面して設けられているとともに、この長孔から側方に突出するガイドピンが設けられているが、このガイドピンが隣接する遊技機や他の周辺設備と干渉し、ロック機構が正常に作動しなくなるという問題もある。
【０００７】
本発明はかかる点に鑑みてなされたものであり、その課題とするところは、従来のロック機構における各部材・要素の配置レイアウトなどを改善し、フレーム枠がひずんで取り付けられた場合などでも装置本体のフレーム枠への差し込みを円滑に行うことができ、また隣接する周辺設備との干渉の問題をも解消し得る遊技媒体貸出装置を提供せんとするものである。
【０００８】
【課題を解決するための手段】
上記の課題を解決するため、請求項１に係る発明は、島内に取り付けたフレーム枠に対し装置本体を前方より差し込んで脱着可能に装着してなる遊技媒体貸出装置において、上記装置本体の筐体の背面部及びフレーム枠の垂直部のいずれか一方に設けられたフック部と、他方に上記フック部が差し込み可能に設けられた係合孔と、上記装置本体の筐体の背面部内側に上下方向に摺動可能に設けられ、上記フック部が係合孔に差し込まれたときフック部を抜け止めにするための可動部材（従来のロック部材に相当するもの）と、この可動部材をフック部の抜け止め方向に弾性的に付勢する付勢部材と、上記可動部材を付勢部材の付勢力に抗して抜け止め解除方向に操作するための操作部材とを備える。また、上記操作部材は、上記装置本体の筐体の背面部に設けた上下方向に長い長孔に対しその長手方向に摺動可能に嵌合する嵌合部を有し、この嵌合部を通して装置本体の筐体の背面部外側から可動部材に取り付けられるとともに、上記長孔との協働により可動部材の上下方向の摺動をガイドする構成とする。
【０００９】
この構成では、係合孔に差し込まれたフック部を抜け止めするための可動部材が装置本体の筐体の背面部内側に設けられているため、島設備の状況によってフレーム枠がひずんで取り付けられた場合などでもこのフレーム枠に対し装置本体を前方より差し込む際に装着本体の背面側に可動部材が当たることはなく、その分差し込み作業を円滑に行うことができる。しかも、上記可動部材は、装置本体の筐体の背面部に設けた長孔を通して取り付けられた操作部材によって操作されるとともに、この操作部材の嵌合部と上記長孔とにより装置本体の筐体の背面部内側での上下方向の摺動がガイドされるようになっているため、従来の如くフレーム枠の垂直部に側方に突出するガイドピンなどを設ける必要はなく、遊技媒体貸出装置に隣接する遊技機や他の周辺設備と干渉を生じることもない。
【００１０】
請求項２に係る発明は、請求項１記載の遊技媒体貸出装置における一つの形態を提供するものである。すなわち、上記フック部を、フレーム枠の垂直部に固定状態にかつ前方に突出して設ける一方、上記係合孔を装置本体の筐体の背面部に設け、上記可動部材を、フック部が係合孔に差し込まれたとき付勢部材の付勢力によりフック部と筐体の背面部との間に挟まれる位置に移動させてフック部の抜け止めを行う構成とする。
【００１１】
請求項３に係る発明は、請求項２記載の遊技媒体貸出装置において、上記フック部をフレーム枠の垂直部の上下２個所に、上記係合孔を装置本体の筐体の背面部の上下２個所にそれぞれ設けるとともに、上記可動部材を、この上下２個所でのフック部の抜け止めを共にするために、上部及び下部では断面略Ｌ字状に形成し、中間部では断面略Ｉ字状に形成する。また、上記装置本体の筐体の背面部に、この可動部材の中間部に対応して可動部材の内側への変形を規制する規制部を形成する構成とする。
【００１２】
この構成では、装置本体をフレーム枠に前方より差し込んで取り付ける時、装置本体の背面側とフレーム枠の垂直部との間では上下２個所で各々フレーム枠側のフック部が装置本体側の係合孔に差し込まれ、この差し込み状態で各フック部が可動部材により抜け止めされるため、ロック機能を十分に発揮することができる。また、装置本体をフレーム枠から取り外す時には、１つの可動部材のみを操作部材を用いて操作するだけで上下２個所でのフック部の抜け止めを共に解除することができ、作業が容易なものになる。その上、可動部材は、フック部の抜け止め機能を発揮する上部及び下部では断面略Ｌ字状に形成されているが、中間部では断面略Ｉ字状に形成されているため、装置本体の筐体の背面部に外部機器との通信用のコネクタなどを設ける場合でもこれらの配設が可動部材により影響を受けることはない。さらに、この可動部材の中間部は、装置本体の筐体の背面部に形成した規制部により内側への変形が規制されているため、中間部での剛性が低くなっているにも拘わらず、可動部材の上下方向の摺動が円滑に行われることになる。
【００１３】
請求項４に係る発明は、請求項１〜３のいずれか一つに記載の遊技媒体貸出装置において、上記操作部材の好ましい形態を提供するものである。すなわち、操作部材は、底面を有する筒状のもので、その底面にねじ挿通孔を具備する嵌合部が一体に形成され、この嵌合部のねじ挿通孔に挿通したねじにより可動部材に取り付けられる構成とする。この構成では、操作部材の底面に形成した嵌合部のねじ挿通孔にねじを挿通して可動部材にねじ止めすることにより、操作部材を、その嵌合部が装置本体側の長孔に摺動可能に嵌合した状態で可動部材に容易に取り付けることができる。
【００１４】
請求項５に係る発明は、請求項３記載の遊技媒体貸出装置において、上記可動部材の上部又は下部に、操作部材により可動部材を付勢部材の付勢力に抗して抜け止め解除方向に操作した時その状態を保持する保持手段を設ける構成とする。この構成では、装置本体をフレーム枠から取り外す時操作部材を用いて可動部材を付勢部材の付勢力に抗してフック部の抜け止め解除方向に操作すると保持手段によってその状態が保持されるため、装置本体の取り外し作業を容易に行うことができる。しかも、保持手段は、可動部材においてその断面形状が略Ｌ字状で剛性の比較的高い上部又は下部に設けられているため、この保持手段の配設により可動部材が変形などを生じることはない。
【００１５】
【発明の実施の形態】
以下、本発明の実施の形態を図面に基づいて説明する。
図１ないし図３は本発明の一実施形態に係る遊技媒体貸出装置Ａを示し、この遊技媒体貸出装置Ａは、遊技機としてのパチンコ機（図示せず）に隣接して配置され、このパチンコ機に対し貸出データを送信してパチンコ球の貸出処理を行わせるとともに、カード発行機能を有するものである。
【００１６】
すなわち、上記遊技媒体貸出装置Ａは、遊技島内でパチンコ機に隣接して固定されたフレーム枠１と、このフレーム枠１に対し前方より差し込んで脱着可能に装着される装置本体２とからなる。装置本体２は、筐体３内に紙幣識別機６を始め、硬貨選別機、カードユニット及び主制御基板（いずれも図示せず）などを装備してなり、この装置本体２の筐体３の正面側を構成する正面パネル３ａには紙幣挿入口１１、硬貨投入口１２、硬貨返却ボタン１３、硬貨返却口１４、封入式カード発行口１５及び会員カード挿入口１６などが設けられている。そして、紙幣挿入口１１に所定の紙幣（例えば千円札など）を挿入すると紙幣識別機６でその紙幣が真正であることを確認した後、会員カード挿入口１６に会員カードが挿入されていなければカードユニットがカード発行口１５にて封入式カードを発行するとともに、向かって右隣りのパチンコ機に対し貸出データを送信してパチンコ球の貸出処理を行わせ、会員カード挿入口１６に会員カードが挿入されていれば会員カードに有価価値を加算するようになっている。また、硬貨投入口１２に所定の硬貨を投入したときには硬貨選別機で投入硬貨の真正が確認されると右隣りのパチンコ機に対しパチンコ球の貸出処理を行わせる。
【００１７】
上記フレーム枠１は、装置本体２を前後方向にガイドするガイド面を有する上下一対の断面略コ字状の水平部１ａ，１ｂと、この両水平部１ａ，１ｂ同士を連結しかつ装置本体２の装着状態でその筐体３の背面部３ｂを覆う断面略コ字状の垂直部１ｃとからなる。この垂直部１ｃの縦方向中央部内側には外部通信用の中継基板（図示せず）が設けられ、この中継基板は、装置本体２の筐体３の背面部３ｂに設けた主制御基板用の接続コネクタ１７と接続するようになっているとともに、垂直部１ｃの外側から右隣りのパチンコ機と接続するための通信ケーブル１８が接続コネクタ１９を介して接続されている。
【００１８】
そして、上記装置本体２の背面側とフレーム枠１の垂直部１ｃとの間には、装置本体２をフレーム枠１に装着した時両者を結合ロックするロック機構２０が設けられている。このロック機構２０は、フレーム枠１の垂直部１ｃの上下２個所にそれぞれ設けられた係合部材２１，２１と、装置本体２の筐体３の背面部３ｂの上下２個所にそれぞれ上記各係合部材２１の後述するフック部２１ｂが差し込み可能に設けられた係合孔２２，２２と、装置本体２の筐体３の背面部３ｂ内側に設けられ、上記両係合部材２１，２１の各フック部２１がそれぞれ対応する係合孔２２，２２に差し込まれたときこの両フック部２１ｂを共に抜け止めにするための可動部材としてのロック部材２３とを備えている。
【００１９】
上記各係合部材２１は、上側のものの場合図４及び図５に詳示するように、フレーム枠１の垂直部１ｃの外面側に当接してねじ止め又は溶接により固定された固定部２１ａと、この固定部２１ａの一端からフレーム枠１の垂直部１ｃを貫通して前方（つまり装置本体２寄り）に比較的大きく突出するフック部２１ｂと、固定部２１ａの他端から同じくフレーム枠１の垂直部１ｃを貫通して前方に比較的小さく突出する小突起部２１ｃとからなる。フック部２１ｂは、その下辺側に傾斜辺部２１ｄと顎部２１ｅとを有している。
【００２０】
上記ロック部材２３は、図６にも示すように、装置本体２の筐体３の背面部３ｂ内側に上下方向に摺動可能に重ね合わされかつ上記上下２個所の係合孔２２，２２間に跨って延びる長尺のものであって、このロック部材２３の上部及び下部にはそれぞれ筐体３の背面部３ｂの真背面から左側側面に当接する断面略Ｌ字状のアングル部２３ａ，２３ｂが形成され、ロック部材２３の中間部は、筐体３の背面部３ｂの左側側面にのみ当接する断面略Ｉ字状に形成されている。そして、装置本体２をフレーム枠１に対し前方より差し込んで取り付け、フレーム枠１側の各係合部材２１のフック部２１ｂがそれぞれ装置本体２の筐体３の背面部３の係合孔２２に差し込まれた状態のときにロック部材２３を後述するコイルばね３２の付勢力により上限位置にまで移動させるとロック部材２３の各アングル部２３ａ，２３ｂの上縁部がそれぞれ係合部材２１のフック部２１ｂの顎部２１ｅと筐体３の背面部３ｂの真背面との間に差し込まれて各係合部材２１のフック部２１ｂの係合孔２２からの抜け止めをするようになっている。尚、装置本体２の筐体３の背面部３ｂには、装置本体２をフレーム枠１に差し込んで取り付けた時フレーム枠１側の各係合部材２１の小突起部２１ｃが嵌入して横ずれを防ぐための嵌入孔２４が設けられている
【００２１】
上記ロック部材２３の中間部は、フレーム枠１側の中継基板に対応しており、フレーム枠１に装置本体２を装着したときロック部材２３がフレーム枠１側の中継基板と干渉しないようになっている。また、装置本体２の筐体３の背面部３ｂには、フレーム枠１側の中継基板との干渉を避けるための凹部２６が形成され、この凹部２６の底面上に上記主制御基板用の接続コネクタ１７が設けられている。凹部２６の上端側及び下端側には、下端側の場合図７に詳示するように、上記ロック部材２３の中間部に対応して、それぞれロック部材２３を筐体３の背面部３ｂの左側側面との間に狭持してロック部材２３の内側への変形を規制する規制部２７が形成されており、この規制板２７は、凹部２６の上端面又は下端面を構成している。
【００２２】
上記ロック部材２３の上部側のアングル部２３ａには上縁部を内側に直角に折り曲げてなるフランジ部３０が形成され、このフランジ部３０と筐体３の背面部３ｂに形成したばね座部３１との間には、ロック部材２３を上限位置に位置付けるようにつまり係合部材２１の抜け止め方向に弾性的に常時付勢する付勢部材としてのコイルばね３２が掛け渡して設けられている。
【００２３】
また、上記ロック部材２３の各アングル部２３ａ，２３ｂにはそれぞれロック部材２３を上記コイルばね３２の付勢力に抗して抜け止め解除方向つまり下限位置寄りに操作するための操作部材３３が取り付けられている。この操作部材３３は、図４及び図８に示すように、底面を有するダルマ形筒状の合成樹脂製のもので、その底面に２つのねじ挿通孔３４を具備する嵌合部３５が一体に形成されており、この嵌合部３５は、装置本体２の筐体３の背面部３ｂに設けた上下方向に長い長孔３６に対しその長手方向つまり上下方向に摺動可能に嵌合するようになっている。しかして、操作部材３３は、その嵌合部３５を筐体３の背面部３ｂの長孔３６に外側から嵌合させながらロック部材２３のアングル部２３ａ，２３ｂに当接した後、嵌合部３５の各ねじ挿通孔３４にそれぞれねじ３７を挿通してロック部材２３のアングル部２３ａ，２３ｂにねじ止めすることによりアングル２３ａ，２３ｂに取り付けられているとともに、上記長孔３６との協働によりロック部材２３の上下方向の摺動をガイドするようになっている。この操作部材３３に対応して、フレーム枠１の垂直部１ｃには比較的大きな長孔３８が設けられており、装置本体２をフレーム枠１に装着した状態で操作部材３３を上下方向に操作したときでもフレーム枠１と干渉しないようになっている。
【００２４】
さらに、上記ロック部材２３の上部側のアングル部２３ａの下端部には、操作部材３３によりロック部材２３をコイルばね３２の付勢力に抗して抜け止め解除方向に操作した時その状態を保持する保持手段４０が設けられている。この保持手段４０は、一端が筐体３の背面部３ｂの真背面に設けた長孔４１から出没可能に設けられたロックピン４２と、ロック部材２３のアングル部２３ａに固定されロックピン４２を軸方向に移動可能（つまりロックピン４２の一端が長孔４１から出没可能）に支持する支持部材４３と、この支持部材４３とロックピン４２の鍔部４２ａとの間に縮装されロックピン４２を突出方向に常時付勢するコイルばね４４とを有している。一方、フレーム枠１の垂直部１ｃには、装置本体２をフレーム枠１に装置した状態で操作部材３３を抜け止め解除方向に操作した時上記保持手段４０のロックピン４２が嵌合する嵌合孔４５が設けられている。
【００２５】
次に、上記遊技媒体貸出装置Ａの作用・効果を説明するに、遊技媒体貸出装置Ａの設置時には、予め、フレーム枠１を遊技島内のパチンコ機に隣接した位置にねじ止めにより固定しておき、このフレーム枠１に対し装置本体２を前方より差し込むとフレーム枠１の垂直部１ｃと装置本体２の背面側との間に設けたロック機構２０よって両者が結合ロックされる。すなわち、このロック機構２０は、上下２個所でそれぞれフレーム枠１の垂直部１ｃに設けた係合部材２１のフック部２１ｂが装置本体２の筐体３の背面部３ｂに設けた係合孔２２に差し込まれ、筐体３の背面部３ｂ内側でロック部材２３がコイルばね３２の付勢力を受けて上限位置に移動してロック部材２３の各アングル部２３ａ，２３ｂの上縁部がそれぞれ上記係合部材２１のフック部２１ｂの顎部２１ｄと筐体３の背面部３ｂの真背面との間に差し込まれることにより、係合部材２１のフック部２１ｂの係合孔２２からの抜け止めを行い、フレーム枠１と装置本体２との結合をロックする。
【００２６】
このようなロック機構２０においては、ロック部材２３が装置本体２の筐体３の背面部３ｂ内側に設けられているため、島設備の状況によってフレーム枠１がひずんで取り付けられた場合などでもこのフレーム枠１に装置本体２を差し込む際に装着本体２の背面側にロック部材２３が当たることはなく、その分差し込み作業を円滑に行うことができる。しかも、ロック部材２３は、装置本体２の筐体３の背面部３ｂに設けた長孔３６を通して取り付けられた操作部材３３によって操作されるとともに、この操作部材３３の嵌合部３５と上記長孔３６とにより装置本体２の筐体３の背面部３ｂ内側での上下方向の摺動がガイドされるようになっているため、従来の如くフレーム枠１の垂直部１ｃに側方に突出するガイドピンなどを設ける必要はなく、遊技媒体貸出装置Ａに隣接するパチンコ機や他の周辺設備、例えば新旧２台の遊技媒体貸出装置を並列に重ねて配置する場合の他方の遊技媒体貸出装置などと干渉を生じることもない。
【００２７】
一方、遊技媒体貸出装置Ａの保守・点検時に装置本体２をフレーム枠１から取り外すときには、先ず、ロック部材２３の各アングル部２３ａ，２３ｂに取り付けられた２つの操作部材３３，３３のいずれか一方を指先などで押し下げることにより、ロック部材２３をコイルばね３２の付勢力に抗して下限位置にまで下方に移動させ、ロック部材２３の各アングル部２３ａ，２３ｂによる係合部材２１のフック部２１ｂの係合孔２２からの抜け止めを解除する。この際、保持手段４０のロックピン４２は、ロック部材２３の下限位置でフレーム枠１の垂直部１ｃの嵌合孔４５に嵌合して、ロック部材２３を下限位置につまり係合部材２１の抜け止めを解除した状態に保持する。また、上下２つの係合部材２１，２１の各フック部２１ｂの抜け止め解除は、１つの操作部材３３を指先などで押し下げるだけの操作で行うことができるので、その分作業を容易に行うことができる。
【００２８】
その後、装置本体２を前方に引き出すことにより、装置本体２をフレーム枠１から取り外すことができる。この際、作業者は、ロック部材２３を係合部材２１のフック部２１ｂの抜け止め解除状態に保持しながら装置本体２を前方に引き出すという面倒な作業を行う必要がないので、その分作業を容易に行うことができる。尚、装置本体２を前方に引き出した時には、保持手段４０のロックピン４２はフレーム枠１からは離れるため、ロック部材２３はコイルばね３２の付勢力により上限位置にまで上方に移動する。
【００２９】
さらに、上記遊技媒体貸出装置Ａのロック機構２０においては、以下のような効果をも有する。
【００３０】
第１に、ロック機構２０のロック部材２３は、上部及び下部にそれぞれ断面略Ｌ字状のアングル部２３ａ，２３ｂが形成され、この各アングル部２３ａ，２３ｂで係合部材２１のフック部２１ｂの抜け止め機能を発揮し、また保持手段４０の取付個所として利用されているため、これらの機能を発揮する上で十分な剛性を確保することができる。一方、ロック部材２３の中間部は断面略Ｉ字状に形成され、剛性が比較的低くなっているが、この中間部は装置本体２の筐体３の背面部３ｂに形成した規制部２７により内側への変形が規制されているため、装置本体２の筐体３の背面部３ｂ内側におけるロック部材２３の上下方向の円滑な摺動を確保することができる。また、装置本体２の筐体３の背面部３ｂの縦方向中央部に主制御基板用の接続コネクタ１７を、フレーム枠１の垂直部１ｃの縦方向中央部に外部通信用の中継基板をそれぞれ設ける場合でもこれらの配設がロック部材２３により影響を受けることもない。
【００３１】
第２に、ロック機構２０の操作部材３３は、底面を有する筒状のもので、その底面にねじ挿通孔３４を具備する嵌合部３５が一体に形成され、この嵌合部３５のねじ挿通孔３４に挿通したねじ３７によりロック部材２３に取り付けられる構成になっているため、この操作部材３３を、その嵌合部３５が装置本体２側の長孔３６に摺動可能に嵌合した状態でロック部材２３に容易に取り付けることができ、組み立て作業の効率化に寄与することができる。
【００３２】
尚、本発明は上記実施形態に限定されるものではなく、その他種々の実施形態を包含するものである。例えば、上記実施形態では、装置本体２の筐体３の背面部３ｂ内側に上下方向に摺動可能に設けられたロック部材２３を、上限位置でフレーム枠１側の係合部材２１のフック部２１ｂが筐体背面部３ｂの係合孔２２に差し込まれたとき係合部材２１のフック部２１ｂを抜け止めするように構成したが、本発明は、逆にロック部材を、下限位置で係合部材のフック部の抜け止めを行うように構成してもよい。
【００３３】
また、上記実施形態では、フレーム枠１の垂直部１ｃに前方に突出するフック部２１ｂを固定状態に設ける一方、装置本体２の筐体３の背面部３ｂに上記フック部２１ｂが差し込み可能な係合孔２２を設けたが、本発明は、逆に、フレーム枠１の垂直部１ｃに係合孔を、装置本体２の筐体３の背面部３ｂに後方に突出するフック部をそれぞれ設けるとともに、上記フック部を、装置本体２の筐体３の背面部３ｂ内側に上下方向に摺動可能に設けられる可動部材２３と一体的に設け、フック部が係合孔に差し込まれた状態で可動部材を付勢部材の付勢力により上限位置又は下限位置に移動させてフック部の係合孔からの抜け止めを行うように構成してもよい。
【００３４】
さらに、上記実施形態では、遊技媒体貸出装置として、隣接するパチンコ機に対し貸出データを送信してパチンコ球の貸出処理を行われるとともにカード発行機能を有するものについて述べたが、本発明は、現金（紙幣又は硬貨）の投入によりパチンコ球の貸出を行う現金機用貸出装置、磁気カードやＩＣカードの投入によりパチンコ球の貸出を行うカード式貸出装置の他、スロットマシンの側方に配置されそれに使用するメダルを貸し出し、あるいは貸出メダルをクレジット記録できるスロットマシン用の貸出装置などにも同様に適用することができるのは勿論である。
【００３５】
【発明の効果】
以上のように、本発明の遊技媒体貸出装置によれば、島設備の状況によってフレーム枠がひずんで取り付けられた場合などでもこのフレーム枠に対し装置本体を前方より差し込む際に装着本体の背面側にロック部材などの可動部材が当たることはないので、差し込み作業を円滑に行うことができ、作業性を高めることができる。また、従来の如くフレーム枠の垂直部に側方に突出するガイドピンなどを設ける必要もないので、隣接する周辺設備と干渉を生じることがなく、実用性に優れた効果を有するものである。
【００３６】
特に、請求項３に係る発明では、装置本体をフレーム枠に前方より差し込んで取り付ける時上下２個所で各々フレーム枠側のフック部が装置本体側の係合孔に抜け止めされるため、ロック機能を十分に発揮することができる。また、１つの可動部材のみを操作部材を用いて操作するだけで上下２個所でのフック部の抜け止めを共に解除することができるので、作業の容易化を一層図ることができる。さらに、装置本体の筐体の背面部に外部機器との通信用のコネクタなどを設ける場合でもこれらの配設が可動部材により影響を受けることはなく、また可動部材の内側への変形を規制して上下方向の摺動を円滑に確保することができるという効果をも奏する。
【００３７】
また、請求項４に係る発明では、操作部材の底面に形成した嵌合部のねじ挿通孔にねじを挿通して可動部材にねじ止めすることにより、操作部材を所定状態に可動部材に容易に取り付けることができ、組み立て作業の効率化に寄与することができる。
【００３８】
さらに、請求項５に係る発明では、装置本体をフレーム枠から取り外す時操作部材を用いて可動部材を付勢部材の付勢力に抗してフック部の抜け止め解除方向に操作すると保持手段によってその状態が保持されるため、装置本体の取り外し作業を容易に行うことができる。しかも、保持手段は、可動部材のうち剛性の比較的高い上部又は下部に設けられているため、この保持手段の配設により可動部材が変形などを生じることはなく、実施化を図る上で有利なものである。
【図面の簡単な説明】
【図１】本発明の実施形態に係る遊技媒体貸出装置の正面図である。
【図２】上記遊技媒体貸出装置の背面側後方から見た斜視図である。
【図３】同じく遊技媒体貸出装置のフレーム枠と装置本体とを分離した斜視図である。
【図４】図３のロック機構の上部付近の拡大図である。
【図５】同じロック機構の上部付近を前方から見た斜視図である。
【図６】上記ロック機構のロック部材の斜視図である。
【図７】図３のＸ−Ｘ線における拡大断面図である。
【図８】図４のＹ−Ｙ線における拡大断面図である。
【符号の説明】
Ａ    遊技媒体貸出装置
１    フレーム枠
１ｃ  垂直部
２    装置本体
３    筐体
３ｂ  背面部
２０    ロック機構
２１    係合部材
２１ｂ  フック部
２２    係合孔
２３    ロック部材（可動部材）
２３ａ，２３ｂ    アングル部
２７    規制部
３２    コイルばね（付勢部材）
３３    操作部材
３４    ねじ挿通孔
３５    嵌合部
３６    長孔
４０    保持手段
【図１】
2004358113.tif 000003
【図２】
2004358113.tif 000004
【図３】
2004358113.tif 000005
【図４】
2004358113.tif 000006
【図５】
2004358113.tif 000007
【図６】
2004358113.tif 000008
【図７】
2004358113.tif 000009
【図８】
2004358113.tif 000010